(57)【要約】【課題】極めて低コストに製造することができ、ひいてはケーブルを低コストにて敷設することができる新規なケーブル保護体を提供する。【解決手段】ケーブルＣ１，Ｃ２を収容する一方のケーブル収容溝７，８が上面に形成されてなるとともに一方の位置決め部９・・・１２が形成されてなる一方の半管体４と、この一方の半管体４上に載置され上記一方のケーブル収容溝７，８に対応した位置にケーブルＣ１，Ｃ２を収容する他方のケーブル収容溝２０，２１が下面に形成されてなるとともに上記一方の位置決め部９・・・１２に対応した位置に他方の位置決め部２２，２３が形成されてなる他方の半管体５と、を有する保護体本体２と、これら保護体本体２同士をケーブルＣ１，Ｃ２の長さ方向に連結するとともに両端にはそれぞれ係合部３ｂ，３ｃが形成された連結ピン３と、を備え、上記一方の半管体４と他方の半管体５とは、それぞれ同一形状とされてなる。【選択図】        図２
2004282976.tif 000002
【特許請求の範囲】
【請求項１】
ケーブルを収容する一方のケーブル収容溝が上面に形成されてなるとともに一方の位置決め部が形成されてなる一方の半管体と、
この一方の半管体上に載置され上記一方のケーブル収容溝に対応した位置にケーブルを収容する他方のケーブル収容溝が下面に形成されてなるとともに上記一方の位置決め部に対応した位置に他方の位置決め部が形成されてなる他方の半管体と、を有する保護体本体と、
これら保護体本体同士をケーブルの長さ方向に連結するとともに両端にはそれぞれ係合部が形成された連結ピンと、を備え、
上記一方の半管体と他方の半管体とは、それぞれ同一形状とされてなることを特徴とするケーブル保護体。
【請求項２】
前記保護体本体の一端には、凹部が形成されてなるとともに、該保護体本体の他端には、前記連結ピンを介して連結される他の保護体本体に形成された上記凹部内に挿入される凸部が形成されてなることを特徴とする請求項１記載のケーブル保護体。
【請求項３】
前記保護体本体に形成された凸部の外形は曲面形状とされてなるとともにテーパ状に成形され、前記凹部はこの凸部の形状よりもやや大きな形状に成形されてなり、前記連結ピンを介して互いに連結される保護体本体同士は屈曲可能とされてなることを特徴とする請求項２記載のケーブル保護体。
【請求項４】
前記連結ピンは、軸部と、この軸部の一端に形成された一方の掛止部と、上記軸部の他端に形成された他方の掛止部とを有し、
前記保護体本体を構成する一方の半管体の一端側上面には、上記一方の掛止部と軸部の一部とが収容される一方の下側収容空間が形成されてなるとともに、該一方の半管体の他端側上面には、上記他方の掛止部と軸部の一部が収容される他方の下側収容空間が形成され、
前記他方の半管体の一端側下面には、上記一方の掛止部の軸体と軸部の一部とが収容される一方の上側収容空間が形成されてなるとともに、該他方の半管体の他端側上面には、上記他方の掛止部と軸部の一部が収容される他方の上側収容空間が形成されてなることを特徴とする請求項１，２又は３記載のケーブル保護体。
【発明の詳細な説明】
【０００１】
【発明が属する技術分野】
本発明は、地中に埋設される高圧ケーブルや光ファイバーケーブル等のケーブルを保護するために使用されるケーブル保護体に関するものである。
【０００２】
【従来の技術】
これまで、高圧ケーブルや光ファイバーケーブル等のケーブルは、地中に埋設される際に、外力から該ケーブルを保護するために、ケーブル保護体を使用している。例えば、特開平１１−３５５９４７号公報や特開２００３−２１２９４号公報に開示されたケーブル保護体は、上述した目的で使用されるものである。上記特開平１１−３５５９４７号公報に開示されたケーブル保護体は、凸状のボディと、凹状のボディと、連結ピンとから構成されてなるものである。そして、上記凸状のボディ及び凹状ボディは、それぞれ上下分割型とされてなるとともに、該凸状のボディには連結用凸部が形成され、一方、上記凹状のボディには凹部が形成されている。また、上記凸状のボディ及び凹状ボディは、それぞれケーブルが挿通される円弧溝が形成されている。また、上記連結ピンは、上記凸状のボディと凹状ボディとを連結するものである。一方、上記特開２００３−２１２９４号公報に開示されたケーブル保護体は、一対の半管体からなる管本体と、これら一対の半管体を固定して管本体を維持するとともに該管本体と他の管本体を接続する一対の接続半管体とからなるものである。
【０００３】
【特許文献１】
特開平１１−３５５９４７号公報
【０００４】
【特許文献２】
特開２００３−２１２９４号公報
【０００５】
【発明が解決しようとする課題】
しかしながら、上述した従来のケーブル保護体では、何れも複数の部材を組み合わせてなるものであるばかりではなく、各部材の形状はそれぞれ異なることから、高コストとなるとともに、最終的にはケーブルの敷設コストが割高となる。すなわち、上記特開平１１−３５５９４７号公報に開示されたケーブル保護体を構成する凸状のボディと凹状のボディとは、それぞれ形状が異なるとともに、これらの凸状のボディ及び凹状のボディは、それぞれ上部ボディ，中間ボディ，下部ボディとから構成され、それぞれの上部ボディ（及び下部ボディ）と中間ボディの形状は異なる。すなわち、この特開平１１−３５５９４７号公報に開示されたケーブル保護体では、連結ピンを除いて、全部で形状の異なる４種類の部材が必要となる。また、上記特開２００３−２１２９４号公報に開示されたケーブル保護体では、各半管体はそれぞれ同一の形状であり、また、各接続半管体も同一形状であることから、２種類の部材が必要となる。
【０００６】
そこで、本発明は、上述した従来のケーブル保護体が有する課題を解決するために提案されたものであって、極めて低コストに製造することができ、ひいてはケーブルを低コストにて敷設することができる新規なケーブル保護体を提供することを目的とするものである。
【０００７】
【課題を解決するための手段】
本発明は上記の課題を解決するために提案されたものであり、第１の発明（請求項１記載の発明）は、ケーブルを収容する一方のケーブル収容溝が上面に形成されてなるとともに一方の位置決め部が形成されてなる一方の半管体と、この一方の半管体上に載置され上記一方のケーブル収容溝に対応した位置にケーブルを収容する他方のケーブル収容溝が下面に形成されてなるとともに上記一方の位置決め部に対応した位置に他方の位置決め部が形成されてなる他方の半管体と、を有する保護体本体と、これら保護体本体同士をケーブルの長さ方向に連結するとともに両端にはそれぞれ係合部が形成された連結ピンと、を備え、上記一方の半管体と他方の半管体とは、それぞれ同一形状とされてなることを特徴とするものである。
【０００８】
この第１の発明では、上記一方の半管体に形成された一方のケーブル収容溝と他方の半管体に形成された他方のケーブル収容溝とにケーブルが収容されることから、地中に埋設されるケーブルを有効に保護することができるとともに、一方及び他方の位置決め部により位置決めされ該一方の半管体と他方の半管体とが位置ずれすることがない。特に、この第１の発明においては、上記保護体本体を構成する一方の半管体と他方の半管体とは、それぞれ同一形状とされてなることから、連結ピンを除いて、僅か１種類の部材を製造すれば良く、大きく低コスト化を実現することができる。
【０００９】
なお、この第１の発明を構成する連結ピンは、保護体本体同士をケーブルの長さ方向に連結するとともに両端にはそれぞれ係合部が形成されたものであれば良く、特に素材が問われるものではないが、この連結ピンの素材を軟質ゴム等の弾性可能乃至は屈曲可能な素材を使用することにより、ケーブルの敷設ルートが湾曲される場合であっても、使用することができる。また、上記一方の半管体に形成された一方の位置決め部と、他方の半管体に形成された他方の位置決め部とは、それぞれ該一方の半管体の上面又は他方の半管体の下面に形成されたものであっても良いし、該一方又は他方の半管体の側面に形成されたものであっても良い。
【００１０】
また、第２の発明（請求項２記載の発明）は、上記第１の発明において、前記保護体本体の一端には、凹部が形成されてなるとともに、該保護体本体の他端には、前記連結ピンを介して連結される他の保護体本体に形成された上記凹部内に挿入される凸部が形成されてなることを特徴とするものである。
【００１１】
この第２の発明では、前記保護体本体の一端には、凹部が形成されてなるとともに、他端には、前記連結ピンを介して連結される他の保護体本体に形成された上記凹部内に挿入される凸部が形成されてなることから、ケーブルの長さ方向に連結される特定の保護体本体と、この特定の保護体本体の前後に連結される他の保護体本体との間に隙間が生じ、この隙間からケーブルが露出して外力がケーブルに作用することがなく、一層ケーブルを保護することができる。
【００１２】
また、第３の発明（請求項３記載の発明）は、上記第２の発明において、前記保護体本体に形成された凸部の外形は曲面形状とされてなるとともにテーパ状に成形され、前記凹部はこの凸部の形状よりもやや大きな形状に成形されてなり、前記連結ピンを介して互いに連結される保護体本体同士は屈曲可能とされてなることを特徴とするものである。
【００１３】
この第３の発明では、前記連結ピンを介して互いに連結される保護体本体同士は屈曲可能とされてなることから、ケーブルの敷設ルートが湾曲した場合であってもこれに対応することができる。
【００１４】
また、第４の発明（請求項４記載の発明）は、上記第１，第２又は第３の発明において、前記連結ピンは、軸部と、この軸部の一端に形成された一方の掛止部と、上記軸部の他端に形成された他方の掛止部とを有し、前記保護体本体を構成する一方の半管体の一端側上面には、上記一方の掛止部と軸部の一部とが収容される一方の下側収容空間が形成されてなるとともに、該一方の半管体の他端側上面には、上記他方の掛止部と軸部の一部が収容される他方の下側収容空間が形成され、前記他方の半管体の一端側下面には、上記一方の掛止部の軸体と軸部の一部とが収容される一方の上側収容空間が形成されてなるとともに、該他方の半管体の他端側上面には、上記他方の掛止部と軸部の一部が収容される他方の上側収容空間が形成されてなることを特徴とするものである。
【００１５】
この第４の発明によれば、ケーブルの敷設作業においては、先ず、上記一方の半管体を該ケーブルの長さ方向に多数設置し、次いで、上記一方の下側収容空間と他方の下側収容空間内に上記連結ピンを収容し、次いで、連続した一方のケーブル収容溝内にケーブルを敷設し、最後に、上記他方の半管体を載置しながら前記一方の位置決め部と他方の位置決め部とにより位置決めして行くことにより、ケーブルは上記保護体本体内により保護されるとともに、各保護体本体同士は、上記連結ピンにより連結された状態となる。すなわち、この第４の発明によれば、単に、各部材を載せて行く作業のみにより、ケーブルを保護した状態で敷設することができるので、作業性を大きく向上させることができる。
【００１６】
【発明の実施の形態】
以下、本発明の実施の形態に係るケーブル保護体について、図面を参照しながら詳細に説明する。
【００１７】
このケーブル保護体１は、図１に示すように、２本のケーブルＣ１，Ｃ２を敷設する際に、該ケーブルＣ１，Ｃ２を保護するために多数連結して使用されるものであって、保護体本体２と、連結ピン３とから構成されたものである。そして、この保護体本体２は、図２に示すように、一方の半管体４と、この一方の半管体４上に載置される他方の半管体５から構成されている。上記連結ピン３は、合成樹脂により一体成形されてなるものであり、円柱状に成形された軸部３ａと、この軸部３ａの一端に円盤状に成形された一方の係合部３ｂと、上記軸部３ａの他端に円盤状に成形された他方の係合部３ｃとから構成されている。
【００１８】
また、一方及び他方の半管体４，５は、共に合成樹脂により一体成形されてなるとともに、互いに同一形状に成形されてなるものである。したがって、図中これら一方及び他方の半管体４，５の符号に関して同一の符号を用いることも可能であるが、不明確となることを避けるために、上述したように、それぞれ別個の名称と符号を用いて説明する。
【００１９】
上記一方の半管体４の下面は、方形状の水平面４ａとなされ、左側面４ｂは、この水平面４ａの左端から直角に起立してなり、右側面４ｃも水平面４ａの右端から直角に起立している。また、この一方の半管体４の上面には、第１乃至第３の水平面４ｄ，４ｅ，４ｆが形成され、この第１の水平面４ｄと、第２の水平面４ｅとの間には、上記ケーブルＣ１が収容される第１の下側ケーブル収容溝７が形成されている。また、上記第２の水平面４ｅと第３の水平面４ｆとの間には、上記第１の下側ケーブル収容溝７と平行となされ、上記ケーブルＣ２が収容される第２の下側ケーブル収容溝８が形成されている。これら第１及び第２の下側ケーブル収容溝７，８は、本発明を構成する一方のケーブル収容溝であり、それぞれ各ケーブルＣ１，Ｃ２の下側半分を収容する収容空間を形成するものであり、この一方の半管体４の一端側から他端側に長さを有している。
【００２０】
また、この一方の半管体４を構成する上記第１の水平面４ｄの一端側には、第１の下側凸部９が突設され、該第１の水平面４ｄの他端側には、第２の下側凸部１０が突設されている。また、この一方の半管体４を構成する上記第３の水平面４ｆの一端側には、第１の下側凹部１１が形成され、該第３の水平面４ｆの他端側には、第２の下側凹部１２が形成されている。これら第１の下側凸部９と第２の下側凸部１０や第１の下側凹部１１と第２の下側凹部１２は、本発明を構成する一方の位置決め部である。
【００２１】
また、上記一方の半管体４を構成する上記第２の水平面４ｅの一端には、上記連結ピン３を構成する他方の係合部３ｃと軸部３ａの一部が収容される一方の下側凹部１５が形成されている。また、上記一方の半管体４を構成する上記第２の水平面４ｅの他端には、上記連結ピン３を構成する一方の係合部３ｂと軸部３ａの一部が収容される他方の下側凹部１６が形成されている。これら一方及び他方の下側収容凹部１５，１６は、本発明を構成する下側収容空間であり、共に略Ｔ字状となされている。そして、上記一方の下側凹部１５は、上記他方の係合部３ｃの中心から下側が収容される半円弧状の第１の空間１５ａと、この第１の空間１５ａと連通し上記軸部３ａの中心から下側が収容される半円弧状の第２の空間１５ｂとから構成され、また、上記他方の下側凹部１６は、上記一方の係合部３ｂの中心から下側が収容される半円弧状の第３の空間１６ａと、この第３の空間１６ａと連通し上記軸部３ａの中心から下側が収容される半円弧状の第４の空間１６ｂとから構成されている。なお、上記一方及び他方の下側凹部１５，１６は、上記連結ピン４の外径よりも大きな内径となされている。すなわち、上記第１の空間１５ａは、他方の係合部３ｃの外径よりも大きな内径となされ、第２の空間１５ｂは、該他方の係合部３ｃの外径よりも小さく且つ上記軸部３ａの外径よりも大きな内径とされており、上記第３の空間１６ａは、上記一方の係合部３ｂの外径よりも大きな内径となされ、第４の空間１６ｂは、該一方の係合部３ｂの外径よりも小さく且つ上記軸部３ａの外径よりも大きな内径とされている。
【００２２】
そしてさらに、上記一方の半管体４の一端には、ケーブルＣ１，Ｃ２の長さ方向に膨出してなる下側半体凸部１７が形成され、他端には、（この一方の半管体４の後方に上記連結ピン３により連結される一方の半管体に形成された）下側半体凸部１７が挿入される下側半体凹部１８が形成されている。上記下側半体凸部１７は、上記一方の半管体４の一端面からケーブルＣ１，Ｃ２の長さ方向に亘って徐々に該ケーブルＣ１，Ｃ２方向に近づくよう傾斜してなり（テーパ状に成形されてなり）、一方、上記下側半体凹部１８は、図３に示すように、上記下側半体凸部１７の外形形状に略対応したものであるがやや該下側半体凸部１７よりも大きな空間とされている。
【００２３】
なお、このように構成された上記一方の半管体４に載置される他方の半管体５は、前述した通り、この一方の半管体４と同一の構成からなるものであり、その代表的な構成を説明すると、図２に示すように、下面には、前記第１の下側ケーブル収容溝７と同様の形状となされてなるとともにケーブルＣ１の中心から上側が収容される第１の上側ケーブル収容溝２０と、この第１の上側ケーブル収容溝２０と平行となされてなるとともに前記第２の下側ケーブル収容溝８と同様の形状とされ上記ケーブルＣ２の中心から上側が収容される第２の上側ケーブル収容溝２１が形成されている。また、この他方の半管体５の下面には、上記一方の半管体４の上面（第３の水平面４ｆ）に形成された第１の下側凹部１１に嵌合される第１の上側凸部２２が形成され、この第１の上側凸部２２の後方には、上記第２の下側凹部１２に嵌合する第２の上側凸部２３が形成されている。また、この他方の半管体５の下面には、上記一方の半管体４の上面（第１の水平面４ｄ）に形成された第１の下側凸部９が嵌合する図示しない第１上側凹部が形成されてなるとともに、上記第２の下側凸部１０が嵌合する図示しない第２の上側凹部が形成されている。
【００２４】
また、この他方の半管体５の一端には、上記一方の半管体４に形成された下側半体凸部１７と同一の上側半体凸部２４が形成され、他端には、上記下側半体凹部１８と同一の上側半体凹部２５（図１参照）が形成されている。
【００２５】
以下、上述した実施の形態に係るケーブル保護体１を使用してケーブルＣ１，Ｃ２を敷設する作業方法乃至はこのケーブル保護体１の使用方法について簡単に説明する。
【００２６】
このケーブル保護体１を使用してケーブルＣ１，Ｃ２を敷設する場合には、先ず、上記一方の半管体４を、図示しない該ケーブルＣ１，Ｃ２の敷設ルートに設置する。この場合、１つの（一方の）半管体４を設置する際に、該一方の半管体４に形成された上記下側半体凸部１７が前方に位置するように設置した場合には、この一方の半管体４の後方に、次ぎの（一方の）半管体４に形成された上記下側半体凸部が、既に設置された一方の半管体４に形成された下側半体凹部１８内に位置するように設置し、さらにこの（一方）半管体４の後方に次ぎの（一方の）半管体４を設置する。すなわち、図３に示すように、多数の（一方の）半管体４を設置する場合、この例では、最初に、最も右側に上記一方の半管体４を設置し、この左側に次ぎの（一方の）半管体４を設置し、さらにその次ぎの（一方の）半管体４を設置するという要領でケーブルＣ１，Ｃ２の敷設ルートに設置する。
【００２７】
そして、上述した要領で多数の（一方の）半管体４を設置する作業が終了すると、次いで、前記連結ピン３を、図３に示すように、それぞれの（一方の）半管体４に収容する。すなわち、上述した要領で設置された前後の一方の半管体４同士により、上記連結ピン３が収容される空間は形成されているので、該空間内にそれぞれ連結ピン３を収容する。なお、このように連結ピン３を収容させることにより、各一方の半管体４は仮連結されることから、この状態でケーブルＣ１，Ｃ２の敷設ルートを屈曲（湾曲）させることもできる。
【００２８】
そして、このように各連結ピン３の収容作業が終了した場合には、上記多数の（一方の）半管体４の上面に形成され連続した第１の下側ケーブル収容溝７にケーブルＣ１を敷設し、また、同様に連続した第２の下側ケーブル収容溝８にケーブルＣ２を敷設する。そして、このように、各ケーブルＣ１，Ｃ２の敷設作業が終了すると、次いで、前記他方の半管体５を各一方の半管体４上から載置固定する。この場合、前述した一方の半管体４の設置要領とは異なり、既に設置された多数の（一方の）半管体４の内で最も後方に設置された一方の半管体４から上記他方の半管体５を固定して行く。
【００２９】
こうした作業方法により、特定の保護体本体２と、この特定の保護体本体２の前後の保護体本体２は、それぞれ上記連結ピン３を介して連結されるとともに、上記ケーブルＣ１は、連続した上記第１の下側ケーブル収容溝７と上記第１の上側ケーブル収容溝２０により形成された図示しない挿通溝に挿通され、また上記ケーブルＣ２は、連続した上記第２の下側ケーブル収容溝８と上記第２の上側ケーブル収容溝２１により形成された図示しない挿通溝内に挿通された状態となるとともに、上記下側半体凸部１７と上側半体凸部２４とにより保護体本体２の一端に形成された凸部（符号は省略する。）は、上記下側半体凹部１８と上側半体凹部２５とにより保護体本体２の他端に設置された凹部（符号は省略する。）内に挿入された状態となる。また、上記各一方の半管体４と他方の半管体５とは、上記第１の下側凹部１１内に嵌合された第１の上側凸部２２や第２の下側凹部１２内に嵌合された第２の上側凸部２３により固定されるとともに位置決めされる。
【００３０】
したがって、上述した実施の形態に係るケーブル保護体１によれば、ケーブルＣ１，Ｃ２を外力による損傷を防止し、確実に保護することができるばかりではなく、上述したように、一方の半管体４と他方の半管体５は共に同一形状であることから、製造コストを大幅に抑制することができ、ひいては、安価にケーブルＣ１，Ｃ２を敷設することができる。しかも、上述したケーブル保護体１では、前述した作業要領によりケーブルＣ１，Ｃ２を敷設することができるので、熟練も要することがなく、極めて簡単且つ迅速にケーブルＣ１，Ｃ２を敷設することができる。さらに、この実施の形態に係るケーブル保護体１によれば、図１に示すように、直線状にケーブルＣ１，Ｃ２を敷設するのではなく、図４及び図５に示すように、ケーブルＣ１，Ｃ２を湾曲した状態で敷設することができる。
【００３１】
なお、上述した第１の実施の形態に係るケーブル保護体１では、各保護体本体２と保護体本体２とを連結する連結する連結ピン３は、合成樹脂により成形したものであるが、本発明を構成する連結ピンの素材は、必ずしも合成樹脂を素材とする必要はなく、ゴム等の弾性変形可能な素材を使用しても良い。このように、連結ピンを弾性変形可能な素材により成形する場合には、前述したケーブル保護体１の構成要素である一方の半管体４に形成した一方及び他方の下側収容凹部１５，１６や、他方の半管体５に形成した図示しない一方及び他方の上側収容凹部は、上記連結ピン３の外形に対応した形にすることができる。
【００３２】
また、上述した実施の形態に係るケーブル保護体１では、２本のケーブルＣ１，Ｃ２を敷設する際に使用されるものであるが、本発明は、このように２本のケーブルＣ１，Ｃ２を敷設する際に使用されるものに限定されるものではなく、例えば、図示しない１本のケーブルを敷設する際に使用されるものであっても良いことは勿論、図６及び図７に示すように、３本のケーブルＣ１，Ｃ２，Ｃ３を敷設する際に使用されるものであっても良い。図６及び図７は、本発明の第２の実施の形態に係るケーブル保護体３０を示すものであって、保護体本体３１と、一方の半管体３２と、他方の半管体３３と、各保護体本体３１を連結する２つの連結ピン３４，３５とから構成されたものである。
【００３３】
上記一方の半管体３２は、上面に上記ケーブルＣ１が収容される第１の下側ケーブル収容溝３６と、第２のケーブルＣ２が収容される第２の下側ケーブル収容溝３７と、第３のケーブルＣ３が収容される第３の下側ケーブル収容溝３９がそれぞれ平行に形成されている。また、この一方の半管体３２には、第１乃至第４の平面部３２ａ・・・３２ｄが形成され、上記第１の平面部３２ａには、前記第１の実施の形態に係るケーブル保護体１を構成する第１の下側凸部９や第２の下側凸部１０と同様の形状となされた第１及び第２の下側凸部４０，４１が突設されている。また、この一方の半管体３２を構成する上記第４の水平面３２ｄには、前記第１及び第２の下側凹部１１，１２と同様の形状となされた第１及び第２の下側凹部４２，４３が形成されている。また、上記第２の平面部３２ｂや第３の平面部３２ｃには、前記第１の実施の形態に係るケーブル保護体１を構成する一方及び他方の下側収容凹部１５，１６と同様の構成に係るそれぞれ２つの下側収容凹部４４，４５，４６，４７が形成されている。また、この一方の半管体３２の一端にも、下側半体凸部４８が形成され、他端には、下側半体凹部４９が形成されている。
【００３４】
また、このように構成された上記一方の半管体３２に載置される他方の半管体３３は、前述した第１の実施の形態に係る保護体本体２と同じように、この一方の半管体３２と同一の構成からなるものであり、その代表的な構成を説明すると、該他方の半管体３３の下面には、上記ケーブルＣ１が収容される第１の下側ケーブル収容溝３７に対応した第１の上側ケーブル収容溝５０と、第２のケーブルＣ２が収容される上記第２の下側ケーブル収容溝３８に対応した第２の上側ケーブル収容溝５１と、第３のケーブルＣ３が収容される上記第３の下側ケーブル収容溝３９に対応した第３の上側ケーブル収容溝５２がそれぞれ平行に形成されている。また、この他方の半管体３３の下面には、上記一方の半管体３２の上面（第４の水平面３２ｄ）に形成された第１の下側凹部４２に嵌合される第１の上側凸部５３が形成され、この第１の上側凸部５３の後方には、上記第２の下側凹部４３に嵌合する第２の上側凸部５４が形成されている。また、この他方の半管体３３の下面には、上記一方の半管体３２の上面（第１の水平面３２ａ）に形成された第１の下側凸部４０が嵌合する図示しない第１上側凹部が形成されてなるとともに、上記第２の下側凸部４１が嵌合する図示しない第２の上側凹部が形成されている。また、この他方の半管体３３の一端には、上記一方の半管体３２に形成された下側半体凸部４８と同一の上側半体凸部５５が形成され、他端には、上記下側半体凹部４９と同一の図示しない上側凹部半体が形成されている。なお、こうした第２の実施の形態に係るケーブル保護体３０においても、その使用方法や設置方法は、前述した第１の実施の形態に係るケーブル保護体１と同様であることから説明は省略する。
【００３５】
上述した第２の実施の形態に係るケーブル保護体３０による場合であっても、ケーブルＣ１，Ｃ２を外力による損傷を防止し、確実に保護することができるばかりではなく、上述したように、一方の半管体４と他方の半管体５は共に同一形状であることから、製造コストを大幅に抑制することができ、ひいては、安価にケーブルＣ１，Ｃ２を敷設することができる。
【００３６】
なお、上述した第１及び第２の実施の形態に係るケーブル保護体１，３０では、本発明を構成する一方の位置決め部や他方の位置決め部を、凸部又は凹部とし、それぞれを一方の半管体の上面や他方の半管体の下面に形成したが、本発明を構成する一方及び他方の位置決め部は、このように、凸部や凹部とする必要はなく、また、該一方及び他方の位置決め部は、必ずしも一方の半管体の上面や他方の半管体の下面に形成する必要はなく、一方の半管体や他方の半管体の側面に形成されたものであっても良い。例えば、それぞれ同一形状に成形された一方の半管体の一側には、下側係合部を形成し、他側には、下側係合片を形成する一方、上記他方の半管体の他側には、上記下側係合部に係合する上側係合片を設け、一側には上記下側係合片が係合する上側係合部が形成されたものであっても良い。
【００３７】
【発明の効果】
上記各実施の形態の説明からも明らかなように、第１の発明（請求項１記載の発明）では、上記一方の半管体に形成された一方のケーブル収容溝と他方の半管体に形成された他方のケーブル収容溝とにケーブルが収容されることから、地中に埋設されるケーブルを有効に保護することができるとともに、一方及び他方の位置決め部により位置決めされ該一方の半管体と他方の半管体とが位置ずれすることがない。特に、この第１の発明においては、上記保護体本体を構成する一方の半管体と他方の半管体とは、それぞれ同一形状とされてなることから、連結ピンを除いて、僅か１種類の部材を製造すれば良く、大きく低コスト化を実現することができる。
【００３８】
また、第２の発明（請求項２記載の発明）では、前記保護体本体の一端には、凹部が形成されてなるとともに、他端には、前記連結ピンを介して連結される他の保護体本体に形成された上記凹部内に挿入される凸部が形成されてなることから、ケーブルの長さ方向に連結される特定の保護体本体と、この特定の保護体本体の前後に連結される他の保護体本体との間に隙間が生じ、この隙間からケーブルが露出して外力がケーブルに作用することがなく、一層ケーブルを保護することができる。
【００３９】
また、第３の発明（請求項３記載の発明）では、前記連結ピンを介して互いに連結される保護体本体同士は屈曲可能とされてなることから、ケーブルの敷設ルートが湾曲した場合であってもこれに対応することができる。
【００４０】
また、第４の発明（請求項４記載の発明）によれば、ケーブルの敷設作業においては、先ず、上記一方の半管体を該ケーブルの長さ方向に多数設置し、次いで、上記一方の下側収容空間と他方の下側収容空間内に上記連結ピンを収容し、次いで、連続した一方のケーブル収容溝内にケーブルを敷設し、最後に、上記他方の半管体を載置しながら前記一方の位置決め部と他方の位置決め部とにより位置決めして行くことにより、ケーブルは上記保護体本体内により保護されるとともに、各保護体本体同士は、上記連結ピンにより連結された状態となる。すなわち、この第４の発明によれば、単に、各部材を載せて行く作業のみにより、ケーブルを保護した状態で敷設することができるので、作業性を大きく向上させることができる。
【図面の簡単な説明】
【図１】本発明の第１の実施の形態に係るケーブル保護体が施工された状態を示す平面図である。
【図２】図１に示すケーブル保護体の分解斜視図である。
【図３】施工されたケーブル保護体の平断面図である。
【図４】ケーブルが湾曲して敷設された状態を示す平面図である。
【図５】ケーブルが湾曲して敷設された状態を示す平断面図である。
【図６】本発明の第２の実施の形態に係るケーブル保護体の分解斜視図である。
【図７】図６に示すケーブル保護体を使用してケーブルが湾曲して敷設された状態を示す平断面図である。
【符号の説明】
１    ケーブル保護体
２    保護体本体
３    連結ピン
３ａ    軸部
３ｂ    一方の係合部
３ｃ    他方の係合部
４    一方の半管体
５    他方の半管体
７    第１の下側ケーブル収容溝
８    第２の下側ケーブル収容溝
９    第１の下側凸部
１０    第２の下側凸部
１１    第１の下側凹部
１２    第２の下側凹部
１７    下側半体凸部
１８    下側半体凹部
２０    第１の上側ケーブル収容溝
２１    第２の上側ケーブル収容溝
２２    第１の上側凸部
２３    第２の上側凸部
２４    上側半体凸部
２５    上側半体凹部
３０    ケーブル保護体
３１    保護体本体
３２    一方の半管体
３３    他方の半管体
３４，３５    連結ピン
３７    第１の下側ケーブル収容溝
３８    第２の下側ケーブル収容溝
３９    第３の下側ケーブル収容溝
４０    第１の下側凸部
４１    第２の下側凸部
４２    第１の下側凹部
４３    第２の下側凹部
４８    下側半体凸部
４９    下側半体凹部
５０    第１の上側ケーブル収容溝
５１    第２の上側ケーブル収容溝
５２    第３の上側ケーブル収容溝
５３    第１の上側凸部
５４    第２の上側凸部
５５    上側半体凸部
Ｃ１，Ｃ２，Ｃ３    ケーブル
【図１】
2004282976.tif 000003
【図２】
2004282976.tif 000004
【図３】
2004282976.tif 000005
【図４】
2004282976.tif 000006
【図５】
2004282976.tif 000007
【図６】
2004282976.tif 000008
【図７】
2004282976.tif 000009